(57)【要約】  【課題】  電線引き留め部に絶縁カバーと干渉することなく、簡単に装着できる、脱落し難い電波障害を防止する金具を提供すること。  【解決手段】  金具１は、対向一対のクレビスＣｒの一方をコッターピンＣｐの軸線方向に跨いで弾力的に挟み込ませるように折り返し部４を介して対向する前後の板部２，３で構成する。前板部２には一方のクレビスＣｒとアイＥとの間を押し拡げる板ばね部７を設ける。前後の板部２，３にはコッターピンＣｐを受け入れるための凹所５，６を夫々設ける。凹所５，６の互い違いに位置する側縁５ｃ，６ｃはコッターピンＣｐの挿入部５ｂ，６ｂに夫々張り出させ、挿入途上のコッターピンＣｐで弾性的に押し開けられ、挿入部５ｂ，６ｂを越えて保持部５ａ，６ａに達すると元位置に復帰して抜け止めする。前後の板部２，３が、折返し部４によりクレビスＣｒの外側に張り出さないように切欠き８を設ける。【選択図】  図４
2005216600.tif 000002
【特許請求の範囲】
【請求項１】
碍子を介して絶縁支持する電線引き留め部におけるクレビスとアイとをコッターピンで連結する連結部からの障害電波の発生を防止する電波障害防止金具において、
相互に対向する一対の前記クレビスの一方をコッターピンの軸線方向に跨いで弾力的に挟み込むように折り返し部を介して連続する前後の板部と、
前記一方のクレビスとアイとの間を押し拡げるように前板部に設けられた板ばね部と、
前記前後の板部がコッターピン周りを跨いで保持されるように、コッターピンの挿入途上で弾力的に押し開かれ、保持部に達すると復元する凹所と、
前記クレビスの頂部より内側に輪郭を形成して前記折返し部を張り出させないように形成した切欠き部とを具備することを特徴とする電線引き留め用碍子の電波障害防止金具。
【請求項２】
前記二つの凹所の互いに異なる片側の側縁は、相互間がコッターピンの挿入により弾性的に押し開けられ、保持部に達すると元位置に復帰してコッターピンを抜け止めするように張り出していることを特徴とする請求項１に記載の電線引き留め用碍子の電波障害防止金具。
【請求項３】
前記張出し縁が保持部からコッターピンの軸線に対してほぼ直角に突出していることを特徴とする請求項２に記載の電線引き留め用碍子の電波障害防止金具。
【請求項４】
前記張出し縁の突出部がコッターピンの挿入方向に異なる位置に設けられていることを特徴とする請求項３に記載の電線引き留め用碍子の電波障害防止金具。
【請求項５】
前記前板部又は後板部の少なくとも一方の保持部は、コッターピンの軸線方向に対して傾斜可能な横方向の遊びを有するように幅広に形成されていることを特徴とする請求項３に記載の電線引き留め用碍子の電波障害防止金具。
【発明の詳細な説明】
【技術分野】
【０００１】
本発明は、電線の引き留め部における碍子の連結部からの電磁波による電波障害を防止する金具に関するものである。
【背景技術】
【０００２】
電線を引き留めるために、その相互間や他の引き留め金具に連結される碍子は、クレビスとアイにコッターピンを貫通させて止めピンで抜け止めすることにより結合される。従来、コッターピン上で対向する一方のクレビスとアイとの間に挿入して電気的接触を安定させる電波障害防止金具がある。この金具は、一端部を直角に折り曲げ、他端からほぼ中央部にかけてコッターピンを跨ぐようにこれを受け入れる切欠き部を設け、切欠き部を形成する二片に表裏相反する方向へ湾曲させたものである（特許文献１）。金具の一端部をクレビスに引っかけるように装着し、二片の湾曲によるばね性によりクレビスとアイとの接触を安定させて電波障害を防止する。
【特許文献１】実開昭５３−２７４９９号公報
【発明の開示】
【発明が解決しようとする課題】
【０００３】
電線の引き留め部の活線作業時に、作業者の誤接触を防止するため、引き留め金具や碍子に絶縁カバーを取り付けるが、上記従来の電波障害防止金具においては、クレビスの輪郭が略円弧状を成すにもかかわらず、折り曲げた一端部の角部（肩部）がクレビスから外側に張り出てしまい、絶縁カバーと位置的に干渉して、絶縁カバーの装着の妨げになる。また、作業者は絶縁性の作業手袋を装着した状態のまま電波障害防止金具を装着することが比較的難しい。一方、装着した状態から安易に外れては効果を継続的に安定して維持できない。
従って、本発明は、電線引き留め部に絶縁カバーと干渉することなく、簡単に装着できて、脱落し難い電波障害を防止する金具を提供することを課題としている。
【課題を解決するための手段】
【０００４】
上記課題を解決するため、第１の発明においては、碍子Ｇを介して絶縁支持する電線引き留め部におけるクレビスＣｒとアイＥとをコッターピンＣｐで連結する連結部からの障害電波の発生を防止する電波障害防止金具１を、折り返し部４を介して連続する前後の板部２，３で構成し、相互に対向する一対のクレビスＣｒの一方をコッターピンＣｐの軸線方向に跨いで弾力的に挟み込むように形成する。前板部２には一方のクレビスＣｒとアイＥとの間を押し拡げる板ばね部７を設ける。前後の板部２，３にはコッターピンＣｐを受け入れる凹所５，６を夫々設ける。凹所５，６はコッターピンＣｐの挿入途上で弾力的に押し開かれ、保持部に達すると復元する。前後の板部２，３に切欠き部８を形成して、クレビスＣｒの頂部の両側に折返し部４が張り出さないようにクレビスＣｒより内側に輪郭を形成する。
第２の発明においては、凹所５，６の一部を夫々形成し、互い違いに位置する相互間を、コッターピンＣｐの挿入途上において弾性的に押し開けられ、保持部５ａ，６ａに達すると元位置に復帰してコッターピンＣｐを抜け止めする張出し縁５ｃ，６ｃを設けた。
第３の発明においては、保持部１３ａ，１４ａから張出し縁１３ｃ，１４ｃをコッターピンＣｐの軸線に対してほぼ直角に突出させた。
第４の発明においては、張出し縁１３ｃ，１４ｃの突出部１３ｅ，１４ｅをコッターピンＣｐの挿入方向に異なる位置に設けた。
第５の発明においては、前板部１１又は後板部１２の少なくとも一方の保持部１３ａ（１４ａ）を、コッターピンＣｐの軸線方向に対して傾斜可能な横方向の遊びを有するように幅広に形成した。
【発明の効果】
【０００５】
本発明においては、活線作業の際の作業者の誤接触を防止するための絶縁カバーを電線の引き留め部に取り付ける場合でも、装着した金具がクレビスから張り出すことがなく、絶縁カバーと干渉せず、取付けを何ら妨げることがない。電線の引き留め部におけるクレビスとアイとの間に装着した金具の板ばね部がクレビスとアイとの電気的接触を安定させて、電波障害を有効に防止することができる。作業者は絶縁性の作業手袋を装着した不自由な手先でも、金具を簡単に装着することができる。コッターピンの保持部によって装着した金具が容易に脱落することがないという効果を有する。
【発明を実施するための最良の形態】
【０００６】
図面を参照して本発明の実施の一形態を説明する。
【実施例１】
【０００７】
図１において、電線Ｌの引き留め部は、電柱のアームに係止するためのストラップ金具Ｓ１と、二連の碍子Ｇと、電線Ｌを把持する引き留め金具Ｓ２によって構成される。引き留め金具Ｓ２は、電線Ｌを把持するクランプ本体と、碍子ＧのアイＥに連結するクレビスＣｒを端部に備えた連結杆とで略Ｖ字状に構成されている。引き留め金具Ｓ２には活線作業時の誤接触を防止する安全用絶縁カバーＣｖが被覆される。ストラップ金具Ｓ１、碍子Ｇ及び引き留め金具Ｓ２は、図２及び図３に示すように、クレビスＣｒとアイＥとにコッターピンＣｐを貫通させて止めピンＰで抜け止めすることにより夫々連結される。中間の碍子Ｇには安全用絶縁カバーＣｖが被覆される。電波障害防止金具１は、碍子Ｇや碍子Ｇの後方に位置する引き留め金具Ｓ２のクレビスＣｒに装着される。
【０００８】
図４乃至図６に示すように、電波障害防止金具１は略Ｕ字状に折り返された金属板で形成されており、折返し部４を介して連続し、相互の間隙を弾力的に縮小可能な前後の板部２，３で構成されている。前板部２は後板部３よりやや長尺に形成されており、前板部２の先端が後板部３の先端より先に突き出ている。両板部２，３には、コッターピンＣｐを受け入れるために、一端から他端に向かって内側へ切れ込んだ凹所５，６が形成されている。凹所５，６は、コッターピンＣｐに対応する円弧状の保持部５ａ，６ａと、これに連続して一端に向かうに従ってコッターピンＣｐを自由に通過させる間隔で連続した後外広がりに開口する挿入部５ｂ，６ｂとを備えている。挿入部５ｂ，６ｂは張出し縁５ｃ，６ｃと逃がし縁５ｄ，６ｄとで形成される。張出し縁５ｃ，６ｃ及び逃がし縁５ｄ，６ｄは凹所５，６の互いに異なる片側位置に夫々設けられており、張出し縁５ｃ，６ｃと逃がし縁５ｄ，６ｄとの間隔は夫々単独でコッターピンＣｐを自由に挿入させるものであるが、両張出し縁５ｃ，６ｃの相互間隔はコッターピンＣｐを挿通できないものである。前板部２の両側縁部には、矩形状に切り出されて前板部２面から前方斜めに弾力的に起き上がった板ばね部７が夫々形成されている。前後の板部２，３には両側縁部から折返し部４の両端部にかけて切欠き部８が形成されている。
【０００９】
この電波障害防止金具１においては、電線Ｌの引き留め部における碍子Ｇの前後に位置するクレビスＣｒに取り付ける。図２及び図３に示すように、電波障害防止金具１は、コッターピンＣｐ上で相互に対向するクレビスＣｒの一方を前後の板部２，３が内外に跨ぐように装着する。後板部３をクレビスＣｒの外側に配置して、一方のクレビスＣｒとアイＥとの間に前板部２を側方から差し込んでから、コッターピンＣｐ周りに上方に９０°回転させれば装着が完了する。前板部２を差し込むとき、後板部３より前板部２の先端が突き出ているので、クレビスＣｒの側縁部内面に前板部２の端部を押し当てれば、前板部２との間隔が広がるので、後板部３と前板部２との間にクレビスＣｒを容易に挿入できる。
【００１０】
前板部２をクレビスＣｒとアイＥとの間に差し込んでいくと、板ばね部７が弾力的に傾斜角を縮小させつつ押し倒され、クレビスＣｒとアイＥとを押し離す方向に付勢する。前板部２及び後板部３は、コッターピンＣｐを凹所５の挿入部５ｂ，６ｂを通じて受け入れ、保持部５ａ，６ａで保持する。このとき、図７、図８に示すように、コッターピンＣｐに張出し縁５ａ，６ａを押し当てれば、張出し縁５ａ，６ａの狭小間隙が押し広げられるように前板部２と後板部３とが弾力的に歪み、コッターピンＣｐを通過させれば、前板部２と後板部３とが元位置に復帰する。切欠き部８により折返し部４が短く形成されるので、前板部２と後板部３との間の折返し部４が歪み易く、コッターピンＣｐの挿入作業に大きな力を要しない。
【００１１】
電波障害防止金具１はその輪郭が切欠き部８によりクレビスＣｒから外側に張り出すことがなく、電線引き留め部や碍子に絶縁カバーＣｖを取り付ける場合にも、これと位置的に干渉することがなく、絶縁カバーＣｖの装着を妨げない。前板部２の板ばね部７はクレビスＣｒとアイＥとの間に介在してアイＥをクレビスＣｒに常時押し付け、連結のガタをなくすと共に、接触の妨げになる塵埃等の付着を防止し、風などの外力によって電線Ｌの引き留め部に揺れが生じても、碍子Ｇや引き留め金具Ｓ２のコッターピンＣｐ上のクレビスＣｒとアイＥとの電気的接触が安定する。また、電波障害防止金具１は前板部２と後板部３とでクレビスＣｒを挟み込むと共に、板ばね部７によりクレビスＣｒとアイＥとの間にばね力で留められ、しかも凹所５，６の張出し縁５ｃ，６ｃにより保持部５ａ，６ａがコッターピンＣｐから外れ止めされるので脱落が防止される。また、コッターピンＣｐの挿入作業に大きな力を要しないので、手先で楽に装着できる。
【実施例２】
【００１２】
他の実施例を図９、図１０に示す。図において先の実施例と同一の構成部分は同一の符号を付して説明を省略する。電波障害防止金具１０の前板部１１と後板部１２は、コッターピンＣｐを受け入れるために切れ込んだ凹所１３，１４を有する。凹所１３，１４は、コッターピンＣｐに保持するための奥側の保持部１３ａ，１４ａと、先端に向かって開口する挿入部１３ｂ，１４ｂとで形成される。挿入部１３ｂ，１４ｂは、内側へ張り出した張出し縁１３ｃ，１４ｃと、これに対向する逃がし縁１３ｄ，１４ｄとで形成されている。張出し縁１３ｃ，１４ｃは、保持部１３ａ，１４ａの縁からコッターピンＣｐの挿入方向に対してほぼ直角に突出した突出部１３ｅ，１４ｅを備えている。保持部１３ａ，１４ａは、コッターピンＣｐを受け入れるように略円弧状に夫々形成されているが、保持部１３ａより１４ａが横幅が大きく形成されている。前板部１１の突出部１３ｅは後板部１２の突出部１４ｅより奥側に配置されている。また、保持部１３ａ，１４ａ内におけるコッターピンＣｐの外周面までの距離に対応するよう、前板部１１の突出部１３ｅは後板部１２の突出部１４ｅよりに突出長が小さい。突出部１３ｅ，１４ｅと逃がし縁１３ｄ，１４ｄとの間隔はコッターピンＣｐを自由に通過させるものであるが、張出し縁１３ｃ，１４ｃの相互間隔はコッターピンＣｐを挿通できないものである。
【００１３】
この電波障害防止金具１０をクレビスＣｒに装着するために、前板部１１と後板部１２とをクレビスＣｒに跨がせると、凹所１３，１４にコッターピンＣｐを受け入れる。このとき、図１１、図１２に示すように、コッターピンＣｐに張出し縁１３ａ，１４ａを押し当てると、前板部１１と後板部１２との相対位置がずれるように歪んで、て張出し縁１３ａ，１４ａで形成される狭小間隙が弾力的に拡がり、コッターピンＣｐを通過させることができる。コッターピンＣｐが突出部１３ｅ，１４ｅを越えて保持部１３ａ，１４ａに到達すると、前板部１１と後板部１２とが通常位置に復帰するので、コッターピンＣｐを突出部１３ｅ，１４ｅで抜け止めする。突出部１３ｅと突出部１４ｅとはコッターピンＣｐの外周の非対称位置で接触するし、保持部１３ａより１４ａが横幅が大きく形成されているので、コッターピンＣｐの軸線に対して傾斜した位置にずれても、張出し縁１３ｃ，１４ｃ間が拡がり難く抜け出さない。
【産業上の利用可能性】
【００１４】
本発明は、電線の引き留め部における碍子の連結部から生じる電磁波による電波障害を防止するのに有効である。
【図面の簡単な説明】
【００１５】
【図１】電線引き留め部の全体図である。
【図２】本発明に係る電波障害防止金具の装着状態の正面図である。
【図３】電波障害防止金具の装着状態の側面図である。
【図４】電波障害防止金具の正面図である。
【図５】電波障害防止金具の側面図である。
【図６】電波障害防止金具の底面図である。
【図７】装着途上の電波障害防止金具の正面図である。
【図８】装着途上の電波障害防止金具の底面図である。
【図９】他の実施例の電波障害防止金具の正面図である。
【図１０】他の実施例の電波障害防止金具の底面図である。
【図１１】他の実施例の装着途上の電波障害防止金具の正面図である。
【図１２】他の実施例の装着途上の電波障害防止金具の底面図である。
【符号の説明】
【００１６】
１    電波障害防止金具
２    前板部
３    後板部
４    折返し部
５    凹所
５ａ  保持部
５ｃ  張出し縁
５ｄ  逃がし縁
６    凹所
６ａ  保持部
６ｃ  張出し縁
６ｄ  逃がし縁
７    板ばね部
８    切欠き部
１０    電波障害防止金具
１１    前板部
１２    後板部
１３    凹所
１３ａ  保持部
１３ｃ  張出し縁
１３ｄ  逃がし縁
１３ｅ  突出部
１４    凹所
１４ａ  保持部
１４ｃ  張出し縁
１４ｄ  逃がし縁
１４ｅ  突出部
Ｌ    電線
Ｓ１  ストラップ金具
Ｇ    碍子
Ｓ２  引き留め金具
Ｃｖ  絶縁カバー
Ｃｒ  クレビス
Ｅ    アイ
Ｃｐ  コッターピン
【図１】
2005216600.tif 000003
【図２】
2005216600.tif 000004
【図３】
2005216600.tif 000005
【図４】
2005216600.tif 000006
【図５】
2005216600.tif 000007
【図６】
2005216600.tif 000008
【図７】
2005216600.tif 000009
【図８】
2005216600.tif 000010
【図９】
2005216600.tif 000011
【図１０】
2005216600.tif 000012
【図１１】
2005216600.tif 000013
【図１２】
2005216600.tif 000014